(57)【特許請求の範囲】
【請求項１】
複数のこんろ部と、それらのこんろ部のうち少なくとも１つに備えられる燃焼状態の検知手段と、その検知手段に接続され、検知手段から得られる情報に基づいて前記こんろ部の作動状態を制御するコントローラとを設けたテーブルこんろであって、
前記コントローラの取付部を、前記こんろ部ごとにその近傍へ同形態で設けて、コントローラを、前記検知手段が備えられるこんろ部近傍の前記取付部を選択して装着可能としたことを特徴とするテーブルこんろ。
【発明の詳細な説明】
【０００１】
【発明の属する技術分野】
本発明は、複数のこんろ部と、それらのこんろ部の少なくとも１つに、天ぷら火災防止装置や立ち消え安全装置等を構成する温度や炎の検知手段を設けたテーブルこんろに関する。
【０００２】
【従来の技術】
テーブルこんろのこんろ部には、サーミスタ等を用いた温度センサや、熱電対等を用いた炎センサ等の燃焼状態の検知手段が設けられると共に、ガスバーナへのガス流路を開閉するマグネット電磁弁が設けられ、これらのセンサやマグネット電磁弁がコントローラに接続されて、センサから得られる検出信号に応じてコントローラはこんろ部の作動状態を制御する。即ち温度センサで得られる鍋底温度が所定の温度に達した際には、コントローラはマグネット電磁弁を閉弁させてガスバーナを消火させる天ぷら火災防止装置を、ガスバーナの立ち消えにより炎センサで得られる熱起電力が低下した際には、マグネット電磁弁を閉弁させてガスの供給を遮断する立ち消え安全装置を構成するものである。
一方上記こんろ部は、２口タイプが普及しており、更に使い勝手を考慮して、一方を標準バーナと、他方を中華料理向きの強火力バーナと、左右で火力を変えて設置するものがあり、上記温度センサによる天ぷら火災防止装置は、標準バーナ側に設けられているものと、強火力バーナ側に設けられているものとがある。そしてテーブルこんろの設置場所との兼ね合いで、壁側を強火力バーナにしない方が安全性が高いため、どちらが壁側になっても対応できるように、こんろ部の火力設定を左右逆にしたタイプもあり、当然この場合温度センサも反対側のこんろ部に設けられることになる。
【０００３】
【発明が解決しようとする課題】
これを具体的に示すものが図３のテーブルこんろ２０の内部説明図で、ここではトッププレートやガスバーナを省略して示す。即ち同図（Ａ）がグリル部２０ａを中央にして温度センサ２４を左側のこんろ部２２に設けたタイプ、同図（Ｂ）が右側のこんろ部２３に設けたタイプである。どちらの場合もコントローラ２１は、テーブルこんろ２０の左側内壁に取り付けられるため、同図（Ａ）の場合は、温度センサ２４や熱電対２５と、コントローラ２１との距離が短く、点線で示すように短いリード線２７の配線で済むが、同図（Ｂ）の場合は、コントローラ２１から温度センサ２４や熱電対２５、マグネット電磁弁２６等との距離が長くなるため、リード線２７，２７・・をガス管２８等に沿って長く引き延ばす必要があり、中継コネクタ２９等も用いられる。よってこのように左右のタイプで部品や配線仕様が異なるため、部品製造や組付時においてコストアップを招くことになる。
更に上記テーブルこんろ２０内においては、点火用のイグナイター３０と各こんろ部やグリル部の点火電極３１，３１・・とを接続する高圧ケーブル３２，３２・・が夫々配線されているため、配線が長くなる図３（Ｂ）の形態においては、温度センサ２４等のリード線２７が高圧ケーブル３２の誘導ノイズの影響を受けやすく、微小レベルの電圧を扱う安全装置の信頼性の低下に繋がる。このノイズは中継コネクタ２９の介在によっても起こり得る。
【０００４】
そこで請求項１に記載の発明は、高圧ケーブルや中継コネクタによるノイズの影響を受けずに安全装置の性能を好適に維持し、部品構成や組立作業の簡略化等によるコストダウンも得られるテーブルこんろを提供することを目的としたものである。
【０００５】
【課題を解決するための手段】
上記目的を達成するために、請求項１に記載の発明は、前記コントローラの取付部を、前記こんろ部ごとにその近傍へ同形態で設けて、コントローラを、前記検知手段が備えられるこんろ部近傍の前記取付部を選択して装着可能としたことを特徴とするものである。
【０００６】
【発明の実施の形態】
以下本発明の形態を図面に基づいて説明する。
図１はテーブルこんろ内部の説明図で、トッププレートやガスバーナ等を省略し、内部の配線状態を主として示すものである。このテーブルこんろ１には、中央に配置されたグリル２の左右に、夫々こんろ部３，４が設けられ、ここではこんろ部３側が標準火力、こんろ部４側が強火力に設定されている。又５はイグナイターで、ここからグリル２及びこんろ部３，４に夫々設けられた点火電極６，６・・へ高圧ケーブル７，７・・が配線されている。更にこんろ部３には、鍋底温度を検知するサーミスタ８と、ガスバーナの炎を検知する熱電対９と、点滅器１０に組み込まれ、点火ボタン１１のプッシュ操作でガス流路を開弁するマグネット電磁弁１２が設けられている。一方こんろ部４にも、同様に熱電対９ａと点滅器１０ａ内のマグネット電磁弁１２ａとが設けられるが、ここでは両者が直列に接続され、ガスバーナの炎を検知した熱電対９ａの熱起電力により、点火ボタン１１ａのプッシュ操作で開弁したマグネット電磁弁１２ａが開弁保持される熱電対回路を構成している。
そしてテーブルこんろ１の左右の側壁の内面には、ネジ孔を設けた取付座１４ａ，１４ｂが、グリル２を中心とした左右対称位置に形成されており、夫々の取付座１４ａ，１４ｂに、取付台１３ａ、基板１３ｂ、カバー１３ｃの順番で組み付けられるバーナコントローラ１３がネジ止め可能となっている。このコントローラ１３は、電池ケース１５やイグナイター５、点滅器１０に設けた基板スイッチやイグナイタースイッチ等と接続されて周知の点火制御を行ったり、熱電対９の熱起電力を監視してマグネット電磁弁１２を開閉制御する立ち消え安全装置を構成したりする他、サーミスタ８で検出される鍋底温度が所定温度に達した場合には、マグネット電磁弁１２への吸着電流を遮断して自動消火させる天ぷら火災防止装置を構成するものである。
【０００７】
以上の如く構成されたテーブルこんろ１においては、サーミスタ８がこんろ部３側に設けられる図１の場合は、バーナコントローラ１３を左側の側壁の取付座１４ａにネジ止めすれば、こんろ部３側の熱電対９やサーミスタ８と最短距離で接続できる。一方こんろ部３が強火力、こんろ部４が標準火力となり、サーミスタ８がこんろ部４側に設けられる場合は、図２のようにバーナコントローラ１３を右側の側壁の取付座１４ｂにネジ止めすれば、これもこんろ部４側の熱電対９ａやサーミスタ８と最短距離で接続できる。この場合こんろ部３側の熱電対９は、マグネット電磁弁１２と直列接続される。尚右側の取付座１４ｂにおいては、グリル２へのガス配管２ａにより若干狭小なスペースとなるため、ここでの取付を考慮してバーナコントローラ１３は予めサイズを縮小して形成している。
このように左右のこんろ部３，４の近傍に夫々コントローラ１３の取付座１４ａ，１４ｂを形成すれば、サーミスタ８が用いられるこんろ部の位置に合わせてバーナコントローラ１３の取付位置を選択可能となり、どちらの場合もサーミスタ８や熱電対９，９ａ等のリード線１６，１６・・を高圧ケーブル７，７・・と離して配線することができる。よって高圧ケーブル７からの誘導ノイズの影響を受けずに、微小レベルの電圧を検出する立ち消え安全装置や天ぷら火災防止装置を高い信頼性で作動させることが可能となる。勿論リード線の引き延ばしによる中継コネクタが不要となるから、中継ノイズの影響の虞れも解消される。又コントローラが左右どちらの場合も、リード線１６の長さを変えずに同形態で接続可能であるから、配線作業の簡略化や部品の共通化を図ることができ、コストダウンにも繋がる。
【０００８】
尚上記実施の形態では、取付座１４ａ，１４ｂを左右対称位置に設けたが、少なくとも同じリード線で左右共接続可能であれば、対称位置に限定するものではない。又ここでは左右どちらもテーブルこんろ側壁の奥方位置（図１，２の上方位置）を選択しているが、ガスバーナの燃焼中にも基板の温度が上がらないこと、ガス配管等の他の部材と接触しないこと、配線作業において他の部材が邪魔にならないこと等の条件を満たすものであれば、側壁の前方位置（図１，２の下方位置）や後壁等を選択することもできる。
更にコントローラの取付構造は、上記ネジ止め以外の他の構造であっても差し支えなく、任意の構造で左右に取付部を形成すれば良い。
【０００９】
【発明の効果】
以上請求項１に記載の発明によれば、各こんろ部ごとにコントローラの取付部を設け、検知手段が備えられる取付部を選択してコントローラを装着可能としたことで、サーミスタ等の検知手段からの信号が高圧ケーブルや中継コネクタのノイズに影響を受けない配線が可能となり、天ぷら火災防止装置や立ち消え安全装置等のコントローラによる作動状態の制御が高い信頼性で行える。又どの取付部を選択しても同じ配線が可能となるため、配線作業や部品が共通化し、コストダウンにも繋がる。
【図面の簡単な説明】
【図１】テーブルこんろ内部の説明図である。
【図２】サーミスタが逆の場合のテーブルこんろ内部の説明図である。
【図３】（Ａ）従来のテーブルこんろ内部の説明図である。
（Ｂ）サーミスタが逆の場合の従来のテーブルこんろ内部の説明図である。
【符号の説明】
１・・テーブルこんろ、２・・グリル、３，４・・こんろ部、５・・イグナイター、７・・高圧ケーブル、８・・サーミスタ、９，９ａ・・熱電対、１２，１２ａ・・マグネット電磁弁、１３・・バーナコントローラ、１６・・リード線。
【図１】
0003724673.tif 000002
【図２】
0003724673.tif 000003
【図３】
0003724673.tif 000004